(57)【要約】【課題】建物ユニットへの連結が容易であり、構成が簡略化され作製が容易な規格化された付帯ユニットを提供する。【解決手段】ユニット建物を構成する直方体状の建物ユニットの１つの立面に連結される付帯ユニット１０は、４本の柱材１１，１１，１１Ａ，１１Ａと、柱材の下端部を水平方向に連結する４本の下梁１２，１２，１３，１３と、柱材の上端部を水平方向に連結する４本の上梁１４，１４，１５，１５Ａとから直方体状に構成され、上梁のうちの対向する２本の上梁が、２本の柱材より延出されて延長上梁１４，１４となっており、延長上梁の先端を連結する先端梁１６を有し、２本の延長上梁と、２本の上梁、及び先端梁により屋根面が形成される。柱材１１，１１、梁材１３，１５により剛接合面Ｐ１が形成され、柱材１１Ａ，１１Ａ、梁材１３、補助梁１９により剛接合面Ｐ２が形成される。【選択図】図３
2010180600.tif 000002
【特許請求の範囲】
【請求項１】
ユニット建物を構成する直方体状の建物ユニットの１つの立面に連結される付帯構造物であって、
該付帯構造物は、４本の柱材と、該柱材の下端部を水平方向に連結する４本の下梁と、前記柱材の上端部を水平方向に連結する４本の上梁とから直方体状に構成され、前記上梁のうちの対向する２本の上梁が、前記２本の柱材より延出されて延長上梁となっており、該延長上梁の先端を連結する先端梁を有し、
前記２本の延長上梁と、２本の上梁、及び先端梁により屋根面が形成されることを特徴とする付帯構造物。
【請求項２】
前記付帯構造物は、２本の柱材と１本の下梁と１本の上梁とを溶接により剛接合して第１の剛接合面を形成し、他の２本の柱材と他の１本の下梁と他の１本の上梁とを溶接により剛接合して第２の剛接合面を形成し、前記２つの剛接合面を対面配置して残りの２本の下梁と上梁で接合することを特徴とする請求項１に記載の付帯構造物。
【請求項３】
前記付帯構造物を構成する構造材は、全て断面形状が略コ字状の溝形鋼又はＣ形鋼から形成され、
前記構造材は、溶接による剛接合部と、前記溝形鋼又はＣ形鋼の端部に固着したジョイント部材を介してボルトで連結する連結部とを組み合わせて結合されることを特徴とする請求項１に記載の付帯構造物。
【請求項４】
前記付帯構造物は、前記建物ユニットの２本の柱材にガイド部材を介して連結固定されることを特徴とする請求項１から３のいずれかに記載の付帯構造物。
【請求項５】
前記延長上梁の延長側に位置する２本の柱材は、その上部が前記上梁と平行な補助梁で連結されることを特徴とする請求項１，３，４のいずれかに記載の付帯構造物。
【請求項６】
前記延長方向に直交する基端側の上梁と、該上梁の両端部に連結される前記２本の柱材と、該２本の柱材の下端部を連結する前記下梁は剛接合され、剛接合面を形成することを特徴とする請求項１，３，４，５のいずれかに記載の付帯構造物。
【請求項７】
前記補助梁と、該補助梁に連結される前記２本の柱材と、該２本の柱材の下端部を連結する前記下梁は剛接合され、剛接合面を形成することを特徴とする請求項５又は６に記載の付帯構造物。
【請求項８】
請求項１から７のいずれかに記載の付帯構造物を前記建物ユニットに連結固定したことを特徴とするユニット建物。
【請求項９】
前記付帯構造物の上部にバルコニーを構築したことを特徴とする請求項８に記載のユニット建物。
【発明の詳細な説明】
【技術分野】
【０００１】
本発明は、ユニット建物を構成する建物ユニットに連結される付帯構造物に係り、特に、ユニット建物の玄関等の入口部や庇部に好適な庇を有する付帯構造物と、この付帯構造物を連結したユニット建物に関する。
【背景技術】
【０００２】
従来、この種のユニット建物において、基礎上に据付けられた下階ユニットの側面部に接合され、あるいは該下階ユニットの上部に搭載された上階ユニットの側面部に接合されるオーバーハングユニットがあり、このオーバーハングユニットは柱と床梁と天井梁を接合した骨組構造体からなるものである。そして、このオーバーハングユニットを基礎上に据付けられた下階ユニットの側面部に接合し、ユニット建物を構成している（例えば、特許文献１参照）。
【先行技術文献】
【特許文献】
【０００３】
【特許文献１】特開平４−３６０９３３号公報
【発明の概要】
【発明が解決しようとする課題】
【０００４】
ところで、前記構造のユニット建物で、例えば、ユニット建物表面から突出するように玄関ポーチの庇を取付ける場合、建物ユニットの構造材に庇用のパーツを固定して取付ける必要がある。また、庇の突出量が大きい場合には、玄関ポーチの基礎と庇との間にサポート用の柱材が必要となる場合がある。このように、庇を取付ける構造は複雑となり、施工も煩雑となるという問題点がある。また、複数の直方体状の建物ユニットを組立てただけの直方体状のユニット建物では、外観に変化がなく重厚感に乏しかった。
【０００５】
本発明は、このような問題に鑑みてなされたものであって、その目的とするところは、複数の直方体状の建物ユニットを組立てたユニット建物の外観に変化を与えることができると共に、建物ユニットへの連結が容易であり、構成が簡略化され製造が容易な規格化された付帯構造物を提供することにある。また、このような付帯構造物を備えるユニット建物を提供することにある。
【課題を解決するための手段】
【０００６】
前記目的を達成すべく、本発明に係る付帯構造物は、ユニット建物を構成する直方体状の建物ユニットの１つの立面に連結される付帯構造物であって、該付帯構造物は、４本の柱材と、該柱材の下端部を水平方向に連結する４本の下梁と、前記柱材の上端部を水平方向に連結する４本の上梁とから直方体状に構成され、前記上梁のうちの対向する２本の上梁が、前記２本の柱材より延出されて延長上梁となっており、該延長上梁の先端を連結する先端梁を有し、前記２本の延長上梁と、２本の上梁、及び先端梁により屋根面が形成されることを特徴とする。
【０００７】
前記のごとく構成された本発明の付帯構造物は、４本の柱材と、この柱材の下端部を連結する４本の下梁と、柱材の上端部を連結する４本の上梁で構成され、２本の上梁が延長されて２本の柱材から突き出され延長上梁とされ、この延長上梁の延ばされた先端を先端梁で連結しているため、庇が突き出した形状が規格化されており、建物ユニットへの連結が容易に行える。また、この付帯構造物は規格化されているため、構成が簡単であり製造が容易である。
【０００８】
本発明に係る付帯構造物の好ましい具体的な態様としては、前記付帯構造物は、２本の柱材と１本の下梁と１本の上梁とを溶接により剛接合して第１の剛接合面を形成し、他の２本の柱材と他の１本の下梁と他の１本の上梁とを溶接により剛接合して第２の剛接合面を形成し、前記２つの剛接合面を対面配置して残りの２本の下梁と上梁で接合することを特徴としている。このように構成された付帯構造物では、２本の柱材と１本の下梁と１本の上梁とを溶接により剛接合して第１の剛接合面を形成し、また他の２本の柱材と１本の下梁と１本の上梁とを溶接により剛接合して第２の剛接合面を形成し、２つの剛接合面を対面配置して残りの２本の下梁と上梁で接合するため、製造が容易となる。
【０００９】
前記付帯構造物を構成する構造材は、全て断面形状が略コ字状の溝形鋼又はＣ形鋼から形成され、前記構造材は、溶接による剛接合部と、前記溝形鋼又はＣ形鋼の端部に固着したジョイント部材を介してボルトで連結する連結部とを組み合わせて結合されることが好ましい。このように構成された付帯構造物によれば、付帯構造物を構成する構造材の重量を低減でき、付帯構造物のコストダウンを達成することができる。また、分割できるため、輸送が容易に行える。
【００１０】
また、本発明に係る付帯構造物の好ましい具体的な態様としては、前記付帯構造物は、建物ユニットの２本の柱材にガイド部材を介して連結固定されることを特徴としている。このように構成された付帯構造物では、建物ユニットに付帯構造物を連結する際に、ガイド部材を介して建物ユニットに付帯構造物を位置決めしてから固定することができ、付帯構造物の連結作業が容易となる。
【００１１】
さらに、本発明に係る付帯構造物の好ましい具体的な他の態様としては、前記延長上梁の延長側に位置する２本の柱材は、上梁と平行な補助梁で連結されることを特徴としている。このように構成された付帯構造物では、延長上梁の延長側に位置する２本の柱材を、上梁と平行な補助梁で連結して補強するため、片持ち支持された延長上梁の支持部の強度を高めて強風等の影響を最小限とすることができる。
【００１２】
前記延長方向に直交する基端側の上梁と、該上梁の両端部に連結される前記２本の柱材と、該２本の柱材の下端部を連結する前記下梁は剛接合され、剛接合面を形成することが好ましい。このように構成された付帯構造物では、連結される建物ユニットに近接する上梁、２本の柱材、下梁が剛接合された面で構成され、強度の向上を達成できるとともに、付帯構造物の組立を容易に行うことができる。
【００１３】
前記補助梁と、該補助梁に連結される前記２本の柱材と、該２本の柱材の下端部を連結する前記下梁は剛接合され、剛接合面を形成することが好ましい。このように構成された付帯構造物では、延長上梁の延長側の片持ち支持部を剛接合面とすることで、付帯構造物の強度向上と、組立作業性の向上を達成することができる。
【００１４】
本発明に係るユニット建物は、前記のいずれかに記載の付帯構造物を前記建物ユニットに連結固定したことを特徴としている。このように構成されたユニット建物では、直方体状の建物ユニットが複数個並置されるとともに積み上げられた直方体の形状に対して、付帯構造物が付属されることで外観に起伏ができ、変化に富んだ重厚な外観とすることができる。また、玄関等のエントランスの部分に庇を形成でき、居住性を高めることができる。
【００１５】
また、本発明に係るユニット建物の好ましい具体的な態様としては、前記付帯構造物の上部にバルコニーを構築したことを特徴としている。このように構成されたユニット建物では、建物ユニットに連結された庇部分を有する付帯構造物の上部にバルコニーを構築することで、ユニット建物の機能性を高めることができる。
【発明の効果】
【００１６】
本発明の付帯構造物は、構成が簡単で組立、作製が容易であり、ユニット建物を構成する建物ユニットに容易に連結固定することができる。このため、ユニット建物に、玄関ポーチ等の庇を有する付帯構造物を容易に連結することができ、ユニット建物に対するユーザーの要求に容易に対応することができる。また、ユニット建物の外観に変化を与えて重厚な外観を有するユニット建物を提供することができる。
【図面の簡単な説明】
【００１７】
【図１】本発明に係る付帯ユニットが連結固定される建物ユニットの概略斜視図。
【図２】図１の建物ユニットに連結固定される付帯ユニットの一実施形態の概略斜視図。
【図３】図２の付帯ユニットの各構成部材の一部を分解した状態の斜視図。
【図４】図３の各構成部材の要部を分解した状態の斜視図。
【図５】図４のＡ部のＹ−Ｚ方向の断面図。
【図６】図３の各構成部材と建物ユニットの柱材との関係の分解した状態を示す要部斜視図。
【図７】図６の要部のＸ−Ｚ方向の断面図。
【図８】付帯ユニットの屋根部分の要部断面図。
【図９】（ａ）は付帯ユニットの一実施形態を用いたユニット建物の模式図、（ｂ）は付帯ユニットの他の実施形態を用いたユニット建物の模式図、（ｃ）は付帯ユニットのさらに他の実施形態を用いたユニット建物の模式図。
【図１０】本発明に係る付帯ユニットのさらに他の実施形態を用いたユニット建物の模式図。
【発明を実施するための最良の形態】
【００１８】
以下、本発明に係る付帯構造物として庇を備える付帯ユニットの一実施形態を図面に基づき詳細に説明する。図１は、本実施形態に係る付帯ユニットを連結する建物ユニットの概略斜視図、図２は、図１の建物ユニットに連結固定される付帯ユニットの概略斜視図、図３は、図２の付帯ユニットの各構成部材の一部を分解した状態の斜視図、図４は、図３の各構成部材の要部を分解した状態の斜視図、図５は、図４のＡ部のＹ−Ｚ方向の断面図、図６は、図３の各構成部材と建物ユニットの柱材との関係の分解した状態を示す要部斜視図、図７は、図６の要部のＸ−Ｚ方向の断面図、図８は、付帯ユニットの屋根部分の要部断面図である。
【００１９】
図１において、建物ユニット１は、鋼製の構造材を溶接で直方体状に接合して形成したボックスラーメン構造のものであり、角柱からなる４本の柱材２，２…と、この柱材の下端部を水平方向に連結する長辺方向の下梁（床梁）３，３と、短辺方向の下梁（床梁）４，４と、４本の柱材２，２…の上端部を水平方向に連結する長辺方向の上梁（天井梁）５，５と、短辺方向の上梁（天井梁）６，６とから直方体状に形成される。そして、建物ユニット１には、床根太７，７…が下梁３，３間に所定間隔で架設され、天井根太８，８…が上梁５，５間に所定間隔で架設されている。各柱材と各梁材とはコーナー部に補強プレート９，９…を介在させて溶接され、建物ユニット１の剛性を高めている。
【００２０】
建物ユニット１の直方体において、長辺方向をＸ方向、短辺方向をＹ方向、高さ方向をＺ方向として説明する。建物ユニット１は、例えば長辺方向（Ｘ方向）の長さが４〜５メートル程度の長尺であり、短辺方向（Ｙ方向）の長さが２〜３メートル程度であり、高さ方向（Ｚ方向）の長さが２．５〜３メートル程度の直方体状に形成されている。すなわち、建物ユニット１は長辺方向に沿う２つの立面（Ｘ−Ｚ面）と、短辺方向に沿う２つの立面（Ｙ−Ｚ面）と、上面、及び底面（Ｘ−Ｙ面）の６つの面から構成されている。
【００２１】
図２〜８において、建物ユニット１に連結固定される付帯ユニット１０は、小型の直方体から上部の上梁が延出する形状をしており、６面を有する直方体状の建物ユニット１の１つの立面である短辺側の側面（Ｙ−Ｚ面）に連結されるように、短辺側の側面と同じ長方形の側面を有しており、建物ユニット１の長辺方向に沿う長さが短く設定されている。例えば、建物ユニット１の長辺方向の長さが４〜５メートル程度の長尺であるのに対して、付帯ユニット１０のＸ方向の長さは１メートル程度あるいは１メートル以下の短尺に設定され、屋根部分が延長されている。この付帯ユニット１０は、直方体状の本体部分から庇が突出していることから庇ユニットということもできる。
【００２２】
付帯ユニット１０は、図２〜８に示されるように、直方体状から屋根部分が延長した形状をしており、互いに平行な４本の柱材１１，１１，１１Ａ，１１Ａと、これらの柱材の下端部をＸ方向に連結する平行な２本の下梁１２，１２と、Ｙ方向に連結する平行な２本の下梁１３，１３、及び柱材の上端部をＸ方向に連結する平行な２本の上梁１４，１４と、Ｙ方向に連結する平行な２本の上梁１５，１５Ａで直方体状に構成され、対向する２本の上梁１４，１４が柱材１１Ａ，１１ＡからＸ方向に延出された延長上梁となっている。そして、延長上梁１４，１４の延長側の先端を連結する先端梁１６を有している。このように、付帯ユニット１０は直方体から庇部分が突き出した形状をしている。
【００２３】
そして、２本の延長上梁１４，１４と、２本の上梁１５，１５Ａ、及び先端梁１６により屋根面が形成される。この屋根面の上面には、後述するように野路板等が載置固定され、防水処理が施される。付帯ユニット１０は、本実施の形態では、建物ユニット１のＹ−Ｚ方向の立面の長方形と、付帯ユニット１０のＹ−Ｚ方向の立面の長方形とが同じ形状となっている。この構成により、建物ユニット１に付帯ユニット１０が連結固定されたとき、外形的に建物ユニット１が長手方向（Ｘ方向）に延長され、突出部や段差部が生じない形状となり、庇が突き出した形状となる。
【００２４】
ここで、付帯ユニット１０の詳細を図３〜８に基づいて説明する。４本の柱材１１，１１，１１Ａ，１１Ａのうちの先端側の２本の柱材１１Ａ，１１Ａは、基端側の柱材１１，１１より僅かに短尺に、すなわち延長上梁１４の高さ分だけ短く形成されている。４本の柱材の下端部は、前記のようにＸ方向は平行な２本の下梁１２，１２で連結され、Ｙ方向は平行な２本の下梁１３，１３で連結（溶接等で接合）されている。そして、延長上梁１４，１４の延長側と反対の基端側の上梁１５は２本の柱材１１，１１の上端に溶接等で接合されている。また、延長側の２本の柱材１１Ａ，１１Ａは延長上梁１４，１４の中程に位置するジョイントボックス１７を介して該延長上梁と鉛直方向に連結され、延長側の上梁（梁支持梁）１５Ａはジョイントボックス１７を介して延長上梁１４，１４に水平方向に連結されている。先端梁１６は延長上梁１４，１４の突出端部にジョイントボックス１８，１８を介して連結されている。
【００２５】
基端側の２本の柱材１１，１１は断面形状が略コ字状のＣ形鋼で構成され、これらの柱材１１，１１の下端部はＹ方向の下梁１３により溶接等で接合され、柱材１１，１１の上端部はＹ方向の上梁１５により溶接等で接合され、Ｙ−Ｚ面に沿う長方形状の剛接合面（ロ字フレーム）Ｐ１となっている。また、先端側の２本の柱材１１Ａ，１１Ａは断面形状が略Ｃ字状の角柱の鋼材で構成され、これらの柱材１１Ａ，１１Ａの下端部はＹ方向の下梁１３により溶接等で接合され、柱材１１Ａ，１１Ａの上端部はＹ方向の補助梁１９により溶接等で接合され、Ｙ−Ｚ面に沿う長方形状の剛接合面（ロ字フレーム）Ｐ２となっている。このように、付帯ユニット１０はＹ−Ｚ面に沿う２つの剛接合面Ｐ１，Ｐ２にＸ方向に沿う下梁１２，１２と、延長上梁１４，１４と、Ｙ方向に沿う上梁１５Ａ、及び先端梁１６をボルトナット等で連結固定して構成される。
【００２６】
ここで、図４，５を参照して、柱材１１Ａ、補助梁１９、上梁１５Ａ、延長上梁１４、及び先端梁１６の連結固定について詳細に説明する。柱材１１Ａと補助梁１９とは前記のように溶接等で剛接合され、剛接合面Ｐ２（ロ字フレーム）を構成している。柱材１１Ａの上面には上プレート１１ａが固着され、この上プレート上に延長上梁１４が載置され、延長上梁のウェブ間に位置するジョイントボックス１７を介してボルトナットＢＮ１で連結されている。ジョイントボックス１７は延長上梁１４にボルトナットＢＮ２で固定されている。ジョイントボックス１７は、角柱の鋼材を短尺に切断し、上下の開口部の一部を覆うように、上板及び下板を溶接して固着している。したがって、ジョイントボックス１７の内部にナット等を挿入してボルトで連結できる構造となっている。
【００２７】
そして、ジョイントボックス１７にはセットナット金具１７ａが固定され、上梁１５Ａのエンドプレート１５ａをジョイントボックス１７に対接させてボルトＢ１をセットナット金具１７ａにねじ込むことで上梁１５Ａは連結され、上梁１５Ａと補助梁１９もボルトナットＢＮ３で固定されている。なお、セットナット金具の代わりに、ジョイントボックスの立面にねじ切りをしてボルトを螺合させるようにしてもよい。そして、延長上梁１４の先端には、先端梁１６と連結するためのエンドプレート１４ａが固着されている。このエンドプレート１４ａは上下の幅広部と中央の幅狭部とが傾斜辺で連結され、幅広部に先端梁１６を連結するためのボルトが挿入される貫通孔が形成されている。
【００２８】
一方、先端梁１６の両端には、ジョイントボックス１８，１８が溶接等で接合されている。ジョイントボックス１８は断面が略コ字状のＣ形鋼を短く切断して形成され、Ｃ形鋼の上下の開口を閉じるように２枚の補強板１８ａ，１８ａが溶接等により水平に固着されており、２枚の補強板の間隔は延長上梁１４の高さと一致している。ジョイントボックス１８にはジョイントプレート１８ｂが固着されている。このジョイントプレート１８ｂも上下の幅広部と中央の幅狭部とが傾斜辺で連結され、幅広部に先端梁１６を連結するためのボルトが挿入される貫通孔が形成され、幅狭部により形成された空間を通して、ジョイントボックス１８のＣ形鋼の内部に固定具としてボルトやナットを挿入できる構成となっている。
【００２９】
延長上梁１４の先端部に固着されたエンドプレート１４ａの貫通孔と、ジョイントプレート１８ｂの貫通孔とは同じ位置に形成され、エンドプレート１４ａの貫通孔と、ジョイントプレート１８ｂの貫通孔にボルトを通してナットをねじ込むことで先端梁１６を延長上梁１４，１４に連結することができる。なお、延長上梁１４，１４の先端にジョイントボックス１８を溶接等により固着し、ジョイントボックス１８，１８間に先端梁１６を固定するように構成してもよい。
【００３０】
次に、図６，７を参照して、Ｘ方向の梁材である下梁１２，１２、及び延長上梁１４，１４と剛接合面Ｐ１とのボルトナット等の連結具を用いた連結と、建物ユニット１の柱材２との連結について詳細に説明する。柱材１１を構成する断面コ字状のＣ形鋼の下端には、Ｃ形鋼の開口を閉じるように２枚の補強板２０，２０が溶接等により水平に固着されており、２枚の補強板の間隔は下梁１２の高さと一致している。また、断面コ字状のＣ形鋼から構成される柱材１１の上端には、同様にＣ形鋼の開口を閉じるように２枚の補強板２１，２１が溶接等により水平に固着されており、２枚の補強板の間隔は延長上梁１４の高さと一致している。
【００３１】
そして、前記補強板２０，２０，２１，２１と、Ｃ形鋼の外側の端面とを連結するようにジョイントプレート２２，２２…が溶接等により垂直に固着されている。このジョイントプレートは上下の幅広部と中央の幅狭部とが傾斜辺で連結され、幅広部に下梁１３及び延長上梁１４を連結するためのボルトＢ２が挿入される貫通孔２４，２４…が形成され、幅狭部により形成された空間を通して、柱材１１のＣ形鋼の内部に固定具としてボルトやナットを挿入できる構成となっている。
【００３２】
建物ユニット１に対向する２本の柱材１１，１１の上下端部に固着された補強板２０，２１とジョイントプレート２２とにより、Ｘ方向に沿う下梁１２，１２と延長上梁１４，１４の連結部が構成される。そして、下梁１２，１２と延長上梁１４，１４には、ジョイントプレート２２と対接するエンドプレート１２ａ，１４ｂが固着され、ジョイントプレート２２の貫通孔２４，２４…に対応してボルトＢ２を挿入できる貫通孔が形成されている。このように、下梁１２，１２の両端と延長上梁１４，１４の基端側の一端はジョイントプレート２２を介してボルトＢ２とナットＮ２で接合される構成となっている。
【００３３】
また、柱材１１，１１の上下部分には、建物ユニット１の柱材２，２との連結構造として、それぞれ３つの貫通孔２５が形成してある。そして、これらの貫通孔２５と対向して柱材２，２にもそれぞれ３つの貫通孔２６が形成され、これらの貫通孔２６の内部にはナットＮ３が溶接により固着されている。３つの貫通孔２６の中央の孔には、ガイドピン２７がねじ込まれている。ガイドピン２７は対向する柱材１１の中央の貫通孔２５に挿入できる直径を有し、先端に向けて先細の形状となっている。付帯ユニット１０の柱材１１，１１を建物ユニット１の柱材２，２に対接させると、ガイドピン２７が中央の貫通孔２５に挿入して位置決めされ、ボルトＢ３をジョイントプレート２２の隙間から挿入し、貫通孔２５を通して柱材２，２のナットＮ３を固着した貫通孔２６にねじ込むことで、付帯ユニット１０を建物ユニット１に連結できる構成となっている。この連結部は２本の柱材の上下端部の４個所に形成され、付帯ユニット１０を建物ユニット１に連結固定できる構成となっている。
【００３４】
建物ユニット１の柱材２の上面には貫通孔２８が形成され、この貫通孔の内面にはナットＮ４が溶接等により固着されている。この貫通孔を通してアイボルト（図示せず）を螺合させ、建物ユニット１をクレーン等で吊上げて輸送や現場での設置に用いることができる。また、付帯ユニット１０の柱材１１，１１の上面にも貫通孔が形成され、この貫通孔の内面にはナットＮ５が固着されている。さらに先端梁１６に固着されたジョイントボックス１８の上面にも貫通孔（図４参照）が形成され、同様に内面にはナット（図示せず）が固着されている。これらのナットにアイボルト（図示せず）を螺合させ、付帯ユニット１０をクレーン等で吊上げて輸送や現場での設置に用いることができる。付帯ユニット１０の上面の貫通孔は、吊上げるときに用いる他に、付帯ユニット１０の上部に後述するバルコニーを構築して固定することができる用途を有している。
【００３５】
次に、図８を参照して、付帯ユニット１０の上面の雨仕舞いについて説明する。付帯ユニット１０の上面を構成する２本の延長上梁１４，１４と、上梁１５，１５Ａ、及び先端梁１６の上面には、雨仕舞いのための面材が支持されている。先端梁１６と上梁１５との間には垂木３１が所定の間隔で複数本が平行状態に支持固定されている。垂木３１は両端の段差部が先端梁１６と上梁１５の上フランジ部に載る状態でタッピングビス等で固定されている。また、上梁１５と隣接する建物ユニット１の上梁６にも、垂木３２が同様に固定されている。そして、垂木３１と垂木３２とに連続して野路板３３が載置固定されている。
【００３６】
野路板３３の上面にはステンレス等の金属板を板金加工したルーフ板３４，３４…が連続して載置固定されている。このルーフ板３４は先端梁１６、上梁１５Ａ、上梁１５の長さと実質的に同等の長さを有する帯状の金属板材の両側辺を上方に立ち上げて折り曲げ、さらに内側に折り曲げて形成している。このように形成された多数のルーフ板３４を、立ち上げ部が隣接するように並べ、立ち上げ部の雨仕舞いをしている。この雨仕舞いは、ステンレス板等を板金加工し、上面部の両側辺が立ち下げられ、さらに内側に折り曲げられて形成されたルーフトップ３５，３５…を用いている。ルーフ板３４，３４の立ち上げ部をルーフトップ３５で覆い、雨水の浸入を防止している。
【００３７】
なお、ルーフ板３４，３４…は一方の延長梁１４に向けて緩勾配が付けられ、ルーフ板を流れる雨水は一方側の延長梁１４に集水され、図示していない横樋や、縦樋を通して排水される構成となっている。先端梁１６の上部には補助梁３６が固定され、この補助梁と先端梁１６とを覆うように化粧材３７が固定されている。また、ルーフ板の先端梁側の１つは、補助梁３６の上面に連続して折り曲げられ、漏水を防止している。上梁１５Ａと先端梁１６との間には複数の垂木３８が平行に固定され、この垂木の下面には軒天３９が固定され、迫り出した庇の内面を覆っている。
【００３８】
前記の如く構成された本実施形態の付帯ユニット１０の製造組立について以下に説明する。付帯ユニット１０は、連結される建物ユニット１に隣接する立面を構成する柱材１１，１１と、下梁１３、及び上梁１５が剛接合されて剛接合面Ｐ１として形成されており、この立面と間隔を有して平行に位置する立面が、柱材１１Ａ，１１Ａと、下梁１３、及び補助梁１９が剛接合されて剛接合面Ｐ２として形成されている。したがって、付帯ユニット１０を搬送するときは、２つの面材Ｐ１，Ｐ２と、下梁１２，１２、延長上梁１４，１４、上梁１５Ａ、及び先端梁１６に分けて搬送できるため、建物ユニット１の搬送の際に荷台の隙間等に挟んで搬送することができる。
【００３９】
このように分割して搬送された各部材を組立てて付帯ユニット１０が構成される。すなわち、２つの面材Ｐ１，Ｐ２を間隔を開けて立て、Ｘ方向に梁材で連結して直方体状に形成する。先ず、延長上梁１４，１４の中程に固定されたジョイントボックス１７，１７間に上梁１５Ａを位置させ、ボルトをジョイントボックス１７内のセットナット金具１７ａにねじ込んで延長上梁１４，１４と上梁１５Ａとを連結する。次いで、延長上梁１４，１４の先端のジョイントボックス１８，１８間に先端梁１６を位置させ、ボルト（図示せず）をジョイントボックス１８，１８内のナット（図示せず）にねじ込んで延長上梁１４，１４と先端梁１６とを連結する。
【００４０】
このように組立てられた延長上梁１４，１４と、上梁１５Ａと、先端梁１６を、ロ字フレームを構成する剛接合面Ｐ２の補助梁１９上に上梁１５Ａが位置するように載置し、上梁１５Ａ側から補助梁１９にボルトをねじ込んでボルトナットＢＮ３で連結し、延長上梁１４，１４の基端側を、ロ字フレームを構成する剛接合面Ｐ１の柱材１１，１１の上部に連結する。すなわち、延長上梁１４のエンドプレート１４ｂと柱材１１，１１のジョイントプレート２２とを接触させ、エンドプレート１４ｂの貫通孔からジョイントプレート２２の貫通孔にボルトＢ２を挿入し、ジョイントプレート２２の内面のナットＮ２にねじ込んで延長上梁１４とロ字フレームの柱材１１，１１とを連結固定する。
【００４１】
ロ字フレームの柱材１１，１１の下端部と下梁１２，１２との連結も同様にジョイントプレートとエンドプレートとを対接させ、エンドプレートの貫通孔からジョイントプレートの貫通孔にボルトＢ２を挿入し、ジョイントプレート側からナットＮ２を締めることで連結することができる。
【００４２】
このようにして構成された付帯ユニット１０を建物ユニット１に連結固定するときは、図７に示すように、建物ユニット１の柱材２，２に付帯ユニット１０の柱材１１，１１を対接させる。このとき柱材２，２からはガイドピン２７，２７…が突出しているため、このガイドピンを柱材１１，１１の中央の貫通孔２５に挿入すると、柱材１１，１１の上下の貫通孔２５と柱材２，２の上下の貫通孔２６とが一致する。この状態で、柱材１１，１１のジョイントプレート２２の隙間からボルトＢ３が容易に挿入でき、建物ユニット１の柱材２，２の貫通孔２６の内面にナットＮ３にねじ込むことにより、建物ユニット１に付帯ユニット１０を強固に連結固定することができる。
【００４３】
このように、建物ユニット１に付帯ユニット１０を連結固定することで、直方体状の建物ユニットから付帯ユニット１０が付帯して凹凸ができ、外観に変化を与えることで重厚な外観とすることができる。また、建物ユニット１に連続して庇を形成することができ、玄関アプローチや車庫の入口部分に最適な構成とすることができる。
【００４４】
本発明の他の実施形態を図９，１０に基づき詳細に説明する。図９（ａ）、（ｂ）、（ｃ）はそれぞれ本発明に係る付帯ユニットの実施形態を用いたユニット建物の模式図、図１０は、付帯ユニットのさらに他の実施形態を用いたユニット建物の模式図である。なお、（ｂ）、（ｃ）の実施形態は前記した実施形態に対し、付帯ユニットは建物ユニット１の長辺側の立面に連結されることを特徴とする。そして、他の実質的に同等の構成については同じ符号を付して詳細な説明は省略する。
【００４５】
図９（ａ）に示される付帯ユニットは前記の実施の形態を示す付帯ユニット１０であり、この付帯ユニット１０を建物ユニット１に連結固定したユニット建物Ｈ１を示している。図９（ｂ）に示される実施の形態の付帯ユニット１０Ａは、６面を有する直方体状の建物ユニット１の１つの立面である長辺側の立面（Ｘ−Ｚ面）に連結されるように、長辺側の立面と同じ長さの屋根部分を備える側面を有している。したがって、この付帯ユニット１０Ａは、建物ユニット１の長辺側の立面に連結固定されたとき、外形的に建物ユニット１が短辺方向（Ｙ方向）に延長され、長辺方向（Ｘ方向）に沿って庇が突き出した形状となる。
【００４６】
この実施の形態の付帯ユニット１０Ａは、４本の柱材４１，４１…と、この柱材の下端部を水平方向に連結する４本の下梁４２，４２，４３，４３と、柱材の上端部を水平方向に連結する４本の上梁４４，４４，４５，４５とから直方体状に構成され、上梁のうちの対向するＸ方向に平行な２本の上梁が、２本の柱材より延出されて延長上梁４４，４４となっており、この延長上梁の先端を連結する先端梁４６を有し、２本の延長上梁４４，４４と、２本の上梁４５，４５、及び先端梁４６により屋根面が形成される形状をしている。この屋根面はＸ方向に長い形状であり、クロス状に水平ブレース材４７を備えることが好ましい。
【００４７】
この実施形態にユニット建物Ｈ２においては、建物ユニット１の長辺方向（Ｘ方向）に沿って長い屋根部分が形成されるため、建物ユニット１の長辺方向に沿うアプローチの長い玄関部分を備えるユニット建物に最適である。そして、付帯ユニット１０Ａは規格化されているため、建物ユニット１に容易に連結固定することができる。
【００４８】
図９（ｃ）に示される実施の形態のユニット建物Ｈ３は、前記の付帯ユニット１０Ａと、もう１つの付帯ユニット１０Ｂとを備える。この付帯ユニット１０Ｂは、６面を有する直方体状の建物ユニット１の１つの立面である長辺側の側面（Ｙ−Ｚ面）に連結されるように、短辺側の側面と同じ側面を有する本体部分（直方体部分）を備え、屋根部分がＹ方向に突出した側面を有している。付帯ユニット１０Ｂは、４本の柱材５１，５１…と、この柱材の下端部を水平方向に連結する４本の下梁５２，５２，５３，５３と、柱材の上端部を水平方向に連結する４本の上梁５４，５４，５５，５５とから直方体状に構成され、上梁のうちの対向するＸ方向に平行な２本の上梁が、２本の柱材より延出されて延長上梁５４，５４となっており、この延長上梁の先端を連結する先端梁５６を有し、２本の延長上梁５４，５４と、２本の上梁５５，５５、及び先端梁５６により屋根面が形成される形状をしている。
【００４９】
したがって、この付帯ユニット１０Ｂは、建物ユニット１の短辺側の立面に連結固定されたとき、本体の直方体部分が建物ユニット１の内部空間を増大させることができると共に、外形的に建物ユニット１が長辺方向（Ｘ方向）に延長され、付帯ユニット１０Ａの庇部分と連続して突出部や段差部が生じない形状となり、長辺方向（Ｘ方向）、及び短辺方向（Ｙ方向）に沿って庇が突き出した形状となる。この付帯ユニット１０Ａと、付帯ユニット１０Ｂとを備えるユニット建物Ｈ３は、前記の実施の形態と同様の効果を有すると共に、２つの付帯ユニットの庇部分が連続することで、外観をより変化に富んだ重厚な外観とすることができる。
【００５０】
図１０に示されるユニット建物Ｈ４は、建物ユニット１を４個使用し、２階建てに構成したもので、１階の建物ユニット１の長辺方向に沿って、図９（ｂ）と同様に付帯ユニット１０Ａを連結固定している。そして、付帯ユニット１０Ａの上部にバルコニーＢＬを構築している。このバルコニーＢＬは、付帯ユニット１０Ａの屋根面と同じ広さの平面を有し、図７に示される基端側の柱材１１の上面の貫通孔の内面に固着されたナットＮ５と、図４に示される先端梁１６を連結するジョイントボックス１８の上面の貫通孔１８ｃ内のナット（図示せず）を用いて、付帯ユニット１０Ａ上に設置固定される。なお、前記の４個所を固定すると共に、延長梁１４，１４の中間部に位置するジョイントボックス１７にも連結固定して強度を高めるように構成してもよい。
【００５１】
このように構成されたユニット建物Ｈ４では、直方体状の建物ユニット１，１…が複数個並置されるとともに積み上げられた直方体の形状に対して、付帯ユニット１０Ａが付属されることで外観に起伏ができ、変化に富んだ重厚な外観とすることができる。また、玄関のエントランスの部分等に庇を形成でき、居住性を高めることができる。さらに、建物ユニット１，１、…に連結された付帯ユニット１０Ａの上部にバルコニーＢＬを構築することで、ユニット建物Ｈ４の機能性を高めることができる。
【００５２】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、付帯ユニットを構成する２つの剛接合面として、Ｙ−Ｚ面を構成する柱材と梁材により２つの剛接合面を形成する実施の形態を説明したが、Ｘ−Ｚ面を構成する柱材と梁材により２つの剛接合面を形成するように構成してもよい。
【００５３】
また、付帯ユニットを連結する建物ユニットとして直方体状の建物ユニットの例を示したが、立方体状の建物ユニットや、直方体状で一部の上部角部が傾斜して、北側斜線や道路斜線等の建築基準法に適用するような形状の建物ユニットでもよいことは勿論である。
さらに、延長上梁の先端側に位置する２本の柱材は、その上端部を補助梁で連結する例を示したが、この補助梁はなくてもよく、２本の柱材の上端を延長上梁と上梁との連結部に直接連結するように構成してもよい。また、付帯ユニットを構成する柱材として、溝形鋼又はＣ形鋼の例を説明したが、Ｈ形鋼等の他の形状の鋼材を用いてもよい。
【産業上の利用可能性】
【００５４】
本発明の活用例として、この付帯ユニットを用いて建物ユニットを組立てて構成されたユニット建物に付帯ユニットを容易に連結ができ、ユニット建物に付随して玄関ポーチや車庫等の用途にも適用できる。
【符号の説明】
【００５５】
１：建物ユニット、２：柱材、３，４：下梁、５，６：上梁、１０，１０Ａ，１０Ｂ：付帯ユニット（付帯構造物）、１１，１１Ａ：柱材、１２，１３：下梁、１４：上梁（延長上梁）、１４ａ，１４ｂ：エンドプレート、１５：上梁、１５Ａ：上梁（梁支持梁）、１６：先端梁、１７，１８：ジョイントボックス（ジョイント部材）、１８ｂ：ジョイントプレート（ジョイント部材）、１９：補助梁、２２：ジョイントプレート（ジョイント部材）、２７：ガイドピン（ガイド部材）、Ｂ１，Ｂ２，Ｂ３：ボルト、ＢＮ１，ＢＮ２，ＢＮ３：ボルトナット、Ｎ２，Ｎ３：ナット、Ｐ１，Ｐ２：剛接合面（ロ字フレーム）、Ｈ１，Ｈ２，Ｈ３，Ｈ４：ユニット建物、ＢＬ：バルコニー
【図１】
2010180600.tif 000003
【図２】
2010180600.tif 000004
【図３】
2010180600.tif 000005
【図４】
2010180600.tif 000006
【図５】
2010180600.tif 000007
【図６】
2010180600.tif 000008
【図７】
2010180600.tif 000009
【図８】
2010180600.tif 000010
【図９】
2010180600.tif 000011
【図１０】
2010180600.tif 000012